(57)【要約】【課題】明確なスポット光が得られること。【解決手段】制御用開口孔５の周縁部には、板厚の規制部１３が設けられている。この結果、制御用開口孔５の周縁部の（規制部１３）の板厚Ｔ１が、規制部を設けない場合の制御用開口孔５の周縁部（左側の実線と二点鎖線との間の部分）の板厚Ｔ２よりも厚い。このために、反射光が制御用開口孔５から出射する範囲において、板厚Ｔ１が厚い方の範囲θ１は、板厚Ｔ２が薄い方の範囲θ２よりも小さい。これにより、反射光が制御用開口孔５から出射する範囲を小さく規制することができるので、スポット光ＳＬによる正規の照射範囲ＳＬＥ以内に反射光ＧＬによる不必要な照射を納めることができ、明確なスポット光ＳＬが得られることとなる。また、投光用開口孔６の内壁面において目障りな散乱光が発生するのを防止することができる。【選択図】　　　　図２
2004074852.tif 000002
【特許請求の範囲】
【請求項１】
ＬＥＤを光源とする車両用ルームランプにおいて、
灯室内に配置されたＬＥＤと、前記ＬＥＤからの光の照射範囲を制御する制御用開口孔が設けられているランプベースとを備え、前記ランプベースの前記制御用開口孔の周縁部には、前記ＬＥＤからの光であって前記灯室の内壁面で反射した反射光が前記制御用開口孔から出射する範囲を小さく規制する板厚の規制部が設けられている、ことを特徴とする車両用ルームランプ。
【請求項２】
ＬＥＤを光源とする車両用ルームランプにおいて、
灯室内に配置されたＬＥＤと、前記ＬＥＤからの光の照射範囲を制御する制御用開口孔が設けられているランプベースと、前記ランプベースの前方に配置され、投光用開口孔が設けられているランプカバーとを備え、前記ランプベースの前記制御用開口孔の周縁部には、前記ＬＥＤからの光であって前記灯室の内壁面で反射した反射光が前記制御用開口孔から出射する範囲を小さく規制する板厚の規制部が設けられている、ことを特徴とする車両用ルームランプ。
【請求項３】
前記板厚の規制部は、前記ＬＥＤ側方向に突出する、ことを特徴とする請求項１または２に記載の車両用ルームランプ。
【発明の詳細な説明】
【０００１】
【発明の属する技術分野】
この発明は、光源のＬＥＤからの光をスポット光として投光照射する車両用ルームランプにかかるものである。特に、この発明は、明確なスポット光が得られ、また、ランプカバーを有する場合、このランプカバーの投光用開口孔の内壁面において目障りな散乱光が発生するのを防止することができる車両用ルームランプに関するものである。
【０００２】
【従来の技術】
以下、この種の車両用ルームランプについて図６を参照して説明する。この種の車両用ルームランプは、一般に、ランプベース１と、このランプベース１により区画された灯室２内に配置された光源としてのＬＥＤ３と、前記ランプベース１の前方もしくは正面側（スポット光ＳＬを照射する方向側）に配置されたランプカバー４とを備える。前記ランプベース１には、前記ＬＥＤ３からの光の照射範囲および照射方向を制御してスポット光ＳＬを形成する制御用開口孔５（図６中、太線にて示す）が設けられている。また、前記ランプカバー４には、投光用開口孔６が設けられている。
【０００３】
前記車両用ルームランプにおいて、前記ＬＥＤ３を点灯する。すると、前記ＬＥＤ３からの直射光（図６中の実線矢印にて示す）は、前記制御用開口孔５のエッジにより照射範囲および照射方向が制御されて、スポット光ＳＬとして投光用開口孔６を経て所定の方向に投光照射される。前記車両用ルームランプにおいては、明確なスポット光が得られることが重要事項である。
【０００４】
【発明が解決しようとする課題】
ところが、従来のこの種の車両用ルームランプにおいては、前記重要事項について何ら考慮されていない。このために、従来のこの種の車両用ルームランプにおいては、ＬＥＤ３からの光であって、灯室２の内壁面で反射した反射光ＧＬ（図６中の破線矢印にて示す）は、制御用開口孔５および投光用開口孔６を経てスポット光ＳＬの照射方向に、スポット光ＳＬの照射範囲よりも広い範囲に亘って照射される。
【０００５】
すると、照射範囲が制御されているスポット光ＳＬによる正規の照射範囲ＳＬＥ（図４中の実線の楕円にて示す）の外側に、照射範囲が制御されていない反射光ＧＬによる不必要な照射範囲ＧＬＥ（図４中の破線の楕円にて示す）が形成されることとなる。これにより、従来のこの種の車両用ルームランプにおいては、明確なスポット光が得られないなどの課題がある。
【０００６】
また、従来のこの種の車両用ルームランプにおいては、照射範囲が制御されていない反射光ＧＬが制御用開口孔５から照射されるので、図６に示すように、ランプベース１の前方に投光用開口孔６を有するランプカバー４が配置されている場合、下記の不具合も生じる。すなわち、反射光ＧＬが投光用開口孔６の内壁面に当たって反射して目障りな散乱光Ｓ（図７中の点々にて示す）が発生する。
【０００７】
この発明は、明確なスポット光が得られ、また、ランプカバーを有する場合、このランプカバーの投光用開口孔の内壁面において目障りな散乱光が発生するのを防止することができる車両用ルームランプを提供することを目的とする。
【０００８】
【課題を解決するための手段】
上記の目的を達成するために、請求項１にかかる発明は、ランプベースの制御用開口孔の周縁部に、ＬＥＤからの光であって灯室の内壁面で反射した反射光が制御用開口孔から出射する範囲を小さく規制する板厚の規制部を設ける、ことを特徴とする。
【０００９】
この結果、請求項１にかかる発明は、図５に示すように、制御用開口孔５（太線にて示す）の周縁部に板厚の規制部１３を設けることにより、制御用開口孔５の周縁部（規制部１３であって、２本の実線の間の部分）の板厚Ｔ１が、規制部を設けない場合の制御用開口孔５の周縁部（左側の実線と二点鎖線との間の部分）の板厚Ｔ２よりも厚い。このために、反射光（実線矢印および二点鎖線矢印にて示す）が制御用開口孔５から出射する範囲において、板厚Ｔ１が厚い方の範囲（２本の交差する実線矢印の範囲）θ１は、板厚Ｔ２が薄い方の範囲（２本の交差する二点鎖線矢印の範囲）θ２よりも小さい。これにより、請求項１にかかる発明は、反射光が制御用開口孔５から出射する範囲を小さく規制することができるので、スポット光による正規の照射範囲以内に反射光による不必要な照射を納めることができ、明確なスポット光が得られることとなる。なお、反射光が制御用開口孔５から出射する範囲とは、反射光が制御用開口孔５に入射してこの制御用開口孔５の内壁面で一度も反射せずに制御用開口孔５から出射する範囲を言う。
【００１０】
しかも、請求項１にかかる発明は、制御用開口孔５の周縁部に板厚の規制部を設けることにより、反射光が制御用開口孔５の内壁面で反射して制御用開口孔５を通過する距離が長くなる。このために、請求項１にかかる発明は、反射光が制御用開口孔５を通過する際に制御用開口孔５の内壁面で反射する回数が多くなるので、その反射回数分、反射光が減衰して制御用開口孔５から出射することとなる。これにより、請求項１にかかる発明は、スポット光による正規の照射範囲以外に減衰した反射光が不必要に照射されたとしても、明確なスポット光に対しての影響が小さい。
【００１１】
また、請求項２にかかる発明は、ランプベースの前方に投光用開口孔が設けられているランプカバーを配置し、かつ、ランプベースの制御用開口孔の周縁部に、ＬＥＤからの光であって灯室の内壁面で反射した反射光が制御用開口孔に入射する範囲を小さく規制する板厚の規制部を設ける、ことを特徴とする。
【００１２】
この結果、請求項２にかかる発明は、前記請求項１にかかる発明と同様に、明確なスポット光が得られる。しかも、請求項２にかかる発明は、反射光が制御用開口孔から出射する範囲を小さく規制することができるので、制御用開口孔から出射した反射光がランプベースの前方に配置されているランプカバーの投光用開口孔の内壁面に当たるのを防止することができる。これにより、請求項２にかかる発明は、投光用開口孔の内壁面において目障りな散乱光が発生するのを防止することができる。
【００１３】
しかも、請求項２にかかる発明は、前記請求項１にかかる発明と同様に、反射光が制御用開口孔５の内壁面で反射を繰り返して減衰した状態で制御用開口孔５から出射するので、この減衰した反射光が投光用開口孔の内壁面に当たったとしても目障りではない。
【００１４】
また、請求項３にかかる発明は、板厚の規制部がＬＥＤ側方向に突出する、ことを特徴とする。
【００１５】
この結果、請求項３にかかる発明は、制御用開口孔の周縁部とＬＥＤとの間の隙間が小さくなり、その分、制御用開口孔に入射する反射光の量が減る。すなわち、ＬＥＤが制御用開口孔およびその周縁部に近づけば近づくほど、制御用開口孔に入射する反射光がＬＥＤで遮断される量が多くなり、その分、制御用開口孔に入射する反射光の量が減り、制御用開口孔から出射する反射光の量が減る。このために、請求項３にかかる発明は、さらに明確なスポット光が確実に得られ、また、ランプカバーを有する場合、投光用開口孔の内壁面において目障りな散乱光が発生するのを確実に防止することができる。
【００１６】
【発明の実施の形態】
以下、この発明にかかる車両用ルームランプの実施形態の１例を図１〜図５を参照して説明する。なお、この実施形態によりこの発明が限定されるものではない。また、図中、図６および図７と同符号は、同一のものを示す。
【００１７】
（実施の形態の構成の説明）
図において、７は車両用ルームランプである。前記車両用ルームランプ７は、２個の制御用開口孔５を有するランプベース１と、このランプベース１により区画された２個の灯室２内にそれぞれ配置された２個のＬＥＤ３と、２個の投光用開口孔６を有するランプカバー４と、このランプカバー４に組み込まれた２個のランプレンズ８とを備える。
【００１８】
前記ランプカバー４と一体のランプハウジングおよび前記ランプレンズ８により区画された灯室９内には、白熱灯などのランプ１０が配置されている。また、前記車両用ルームランプ７には、前記ランプ１０の点灯消灯用のスイッチ、ＬＥＤ３の点灯消灯用のスイッチ、サンルーフの開閉用のスイッチなどの各種のスイッチ１１が設けられている。さらに、前記２個のＬＥＤ３は、プリントサーキットボード１２に固定されている。このプリントサーキットボード１２は、前記ランプベース１に固定されている。
【００１９】
前記ランプベース１の制御用開口孔５の周縁部には、反射光ＧＬが制御用開口孔５から出射する範囲を小さく規制する板厚の規制部１３が一体に設けられている。この板厚の規制部１３は、ＬＥＤ３側方向に突出している。また、前記ランプベース１の制御用開口孔５の周縁部であって、前記規制部１３と反対側には、凸部１４が前記制御用開口孔５を囲むように一体に設けられている。前記ＬＥＤ３は、前記ランプベース１に設けられた一対の支持部１５により支持されている。
【００２０】
前記制御用開口孔５および前記投光用開口孔６の内壁は、前記ＬＥＤ３側から外側にかけて末広がり形状（断面ハの字形状）の傾斜面をなす。また、前記制御用開口孔５の大きさは、前記投光用開口孔６の大きさよりも小さい。さらに、前記制御用開口孔５は、前記ＬＥＤ３から最高高度の直射光を含む直射光が透過するように、位置や大きさや形状などが決められている。さらにまた、前記制御用開口孔５の正面形状は、たとえば、楕円形をなし、前記投光用開口孔６の正面形状は、たとえば、長方形をなす。
【００２１】
（実施の形態の作用効果の説明）
この実施の形態における車両用ルームランプ７は、以上のごとき構成からなり、以下、その作用効果について説明する。
【００２２】
ＬＥＤ３を点灯すると、ＬＥＤ３からの直射光は、実線矢印に示すように、制御用開口孔５のエッジにより照射範囲が制御されて、スポット光ＳＬとして投光用開口孔６を経て所定の方向に投光照射される。この制御されたスポット光ＳＬは、図４に示すように、所定の範囲ＳＬＥを照明する。このとき、この実施の形態における車両用ルームランプ７は、明確なスポット光ＳＬが得られる。
【００２３】
すなわち、この実施の形態における車両用ルームランプ７は、図５に示すように、制御用開口孔５の周縁部に板厚の規制部１３を設けることにより、制御用開口孔５の周縁部の（規制部１３）の板厚Ｔ１が、規制部を設けない場合の制御用開口孔５の周縁部（左側の実線と二点鎖線との間の部分）の板厚Ｔ２よりも厚い。このために、この実施の形態における車両用ルームランプ７は、反射光が制御用開口孔５から出射する範囲において、板厚Ｔ１が厚い方の範囲（２本の交差する実線矢印の範囲）θ１は、板厚Ｔ２が薄い方の範囲（２本の交差する二点鎖線矢印の範囲）θ２よりも小さい。これにより、この実施の形態における車両用ルームランプ７は、反射光が制御用開口孔５から出射する範囲を小さく規制することができるので、スポット光による正規の照射範囲以内に反射光による不必要な照射を納めることができ、明確なスポット光が得られることとなる。
【００２４】
しかも、この実施の形態における車両用ルームランプ７は、制御用開口孔５の周縁部に板厚の規制部１３を設けることにより、反射光ＧＬが制御用開口孔５の内壁面で反射して制御用開口孔５を通過する距離が長くなる。このために、この実施の形態における車両用ルームランプ７は、図２に示すように、反射光ＧＬが制御用開口孔５を通過する際に制御用開口孔５の内壁面で反射する回数が多くなるので、その反射回数分、反射光ＧＬが減衰して制御用開口孔５から出射することとなる。
【００２５】
これにより、この実施の形態における車両用ルームランプ７は、スポット光ＳＬによる正規の照射範囲ＳＬＥ以外に減衰した反射光ＧＬが不必要に照射されたとしても、明確なスポット光ＳＬに対しての影響が小さい。また、減衰した反射光が投光用開口孔６の内壁面に当たったとしても目障りではない。
【００２６】
また、この実施の形態における車両用ルームランプ７は、反射光ＧＬが制御用開口孔５から出射する範囲を小さく規制することができるので、制御用開口孔５から出射した反射光ＧＬがランプベース１の前方に配置されているランプカバー４の投光用開口孔６の内壁面に当たるのを防止することができる。これにより、この実施の形態における車両用ルームランプ７は、投光用開口孔６の内壁面において目障りな散乱光が発生するのを防止することができる。
【００２７】
また、この実施の形態における車両用ルームランプ７は、板厚の規制部１３がＬＥＤ３側方向に突出するので、制御用開口孔５の周縁部とＬＥＤ３との間の隙間が小さくなり、その分、制御用開口孔５に入射する反射光の量が減る。すなわち、ＬＥＤ３が制御用開口孔５およびその周縁部に近づけば近づくほど、制御用開口孔５に入射する反射光がＬＥＤ３で遮断される量が多くなり、その分、制御用開口孔５に入射する反射光の量が減り、制御用開口孔５から出射する反射光の量が減る。このために、この実施の形態における車両用ルームランプ７は、さらに明確なスポット光ＳＬが確実に得られ、また、ランプカバー４を有する場合、投光用開口孔６の内壁面において目障りな散乱光が発生するのを確実に防止することができる。
【００２８】
【発明の効果】
以上から明らかなように、この発明にかかる車両用ルームランプ（請求項１）によれば、明確なスポット光が得られる。
【００２９】
また、この発明にかかる車両用ルームランプ（請求項２）によれば、ランプベースの前方にランプカバーが配置されている場合においては、ランプカバーの投光用開口孔の内壁面において目障りな散乱光が発生するのを防止することができる。
【００３０】
さらに、この発明にかかる車両用ルームランプ（請求項３）によれば、さらに明確なスポット光が確実に得られ、また、ランプカバーを有する場合、投光用開口孔の内壁面において目障りな散乱光が発生するのを確実に防止することができる。
【図面の簡単な説明】
【図１】この発明の車両用ルームランプの実施の形態を示す正面図である。
【図２】図１におけるＩＩ−ＩＩ線断面図である。
【図３】図１におけるＩＩＩ−ＩＩＩ線断面図である。
【図４】この発明の車両用ルームランプにより得られるスポット光およびその照射範囲を示す説明図である。
【図５】この発明の車両用ルームランプの作用を示す説明図である。
【図６】従来の車両用ルームランプを示す一部断面図である。
【図７】従来の車両用ルームランプにおいて投光用開口孔の内壁面に目障りな散乱光が発生している状態を示す説明図である。
【符号の説明】
１　ランプベース
２　灯室
３　ＬＥＤ
４　ランプカバー
５　制御用開口孔
６　投光用開口孔
７　車両用ルームランプ
８　ランプレンズ
９　灯室
１０　ランプ
１１　スイッチ
１２　プリントサーキットボード
１３　規制部
１４　凸部
１５　支持部
ＳＬ　スポット光
ＧＬ　反射光
ＳＬＥ　スポット光による照射範囲
ＧＬＥ　反射光による照射範囲
Ｓ　散乱光
Ｔ１　規制部の板厚
Ｔ２　規制部を設けない場合の板厚
θ１　板厚が厚い場合の反射光の出射範囲
θ２　板厚が薄い場合の反射光の出射範囲
【図１】
2004074852.tif 000003
【図２】
2004074852.tif 000004
【図３】
2004074852.tif 000005
【図４】
2004074852.tif 000006
【図５】
2004074852.tif 000007
【図６】
2004074852.tif 000008
【図７】
2004074852.tif 000009